(57)【要約】【課題】水流を好む魚にストレスがたまりにくく、水流を好む魚に適した水流型水槽を提供する。【解決手段】仕切板１２が、水槽本体１１の内部を底部区画２１と上部区画２２とに区画している。蓋１３が、水槽本体１１の上部を覆い、上部区画２２に水を流入させるための流入口１３ａを有している。パイプ１４が、上部区画２２の中央を通って、底部区画２１と蓋１３の上部とを連通している。ポンプ１５が、底部区画２１の水を、パイプ１４の内部を通して蓋１３の上側まで上昇させるよう設けられている。自然環境を模した構造物１６が、蓋１３の上に設けられ、ポンプ１５により蓋１３の上側まで上昇した水を流入口１３ａまで導く導水部１６ａを有している。水流発生部１７が、流入口１３ａから上部区画２２に流入する水により、上部区画２２の内部でパイプ１４の周りを回転する水流が発生するよう設けられている。【選択図】図１
0003154875.tif 000002
【実用新案登録請求の範囲】
【請求項１】
水槽本体と、
前記水槽本体の内部を底部区画と上部区画とに区画するよう設けられ、前記底部区画と前記上部区画とを連通させる連通孔を有する仕切板と、
前記水槽本体の上部を覆い、前記上部区画に水を流入させるための流入口を有する蓋と、
前記上部区画を貫通して前記底部区画と前記蓋の上側とを連通させるパイプと、
前記底部区画の水を前記パイプを通して前記蓋の上側まで上昇させるポンプと、
前記蓋の上側に設けられ、前記ポンプにより前記蓋の上側まで上昇した水を前記流入口まで導くための導水部を有する構造物と、
前記パイプの周りに回転する水流を発生させるよう前記流入口から流れる水を前記上部区画に案内する水流発生部とを、
有することを特徴とする水流型水槽。
【請求項２】
前記水槽本体は円筒状をなし、前記パイプは前記水槽本体の中心線上に設けられ、前記水流発生部は前記蓋と一体的に設けられた傾斜部から成り、前記流入口に連続して前記上部区画内に突出し、前記水槽本体の円周方向に沿って底部方向に傾斜しており、傾斜角度を調整可能に構成されていることを、特徴とする請求項１記載の水流型水槽。
【考案の詳細な説明】
【技術分野】
【０００１】
本考案は、水流型水槽に関する。
【背景技術】
【０００２】
観賞魚などを飼育するための一般的な水槽では、水槽底部の水を循環ポンプや空気ポンプを利用して吸い込み、吸い込んだ水を濾過して、再び水槽内に戻している（例えば、特許文献１参照）。
【先行技術文献】
【特許文献】
【０００３】
【特許文献１】実用新案登録第３０１８７４７号公報
【考案の概要】
【考案が解決しようとする課題】
【０００４】
特許文献１に記載のような一般的な水槽では、濾過した水を戻すときやポンプで水を吸い込むときに水槽内に水流が発生するが、水を戻す位置から拡がる方向やポンプに向かう方向への限られた範囲内での流れであるため、水流を好む魚を飼育するときには、魚にストレスがたまりやすいという課題があった。
【０００５】
本考案は、このような課題に着目してなされたもので、水流を好む魚にストレスがたまりにくく、水流を好む魚に適した水流型水槽を提供することを目的とする。
【課題を解決するための手段】
【０００６】
上記目的を達成するために、本考案に係る水流型水槽は、水槽本体と、前記水槽本体の内部を底部区画と上部区画とに区画するよう設けられ、前記底部区画と前記上部区画とを連通させる連通孔を有する仕切板と、前記水槽本体の上部を覆い、前記上部区画に水を流入させるための流入口を有する蓋と、前記上部区画を貫通して前記底部区画と前記蓋の上側とを連通させるパイプと、前記底部区画の水を前記パイプを通して前記蓋の上側まで上昇させるポンプと、前記蓋の上側に設けられ、前記ポンプにより前記蓋の上側まで上昇した水を前記流入口まで導くための導水部を有する構造物と、前記パイプの周りに回転する水流を発生させるよう前記流入口から流れる水を前記上部区画に案内する水流発生部とを、有することを特徴とする。
【０００７】
本考案に係る水流型水槽は、水槽本体の内部に水を入れて使用される。本考案に係る水流型水槽では、ポンプを稼働させると、水槽本体の底部区画の水が、ポンプによりパイプの内部を通って蓋の上側まで上昇し、導水部により流入口まで導かれ、流入口から水槽本体の上部区画に流入する。このとき、水流発生部により、上部区画の内部で水流を発生させることができる。上部区画の水は、仕切板の連通孔を通って再び底部区画に入ることができる。このように、本考案に係る水流型水槽では、蓋の上部と水槽本体の内部との間で、水を循環させることができる。
【０００８】
本考案に係る水流型水槽は、ポンプを稼働させ続けることにより、上部区画の内部にエンドレスの回転水流を発生させることができるため、水流を好む魚を常時その回転水流に合わせて泳がせることができる。このため、水流を好む魚にストレスがたまりにくく、水流を好む魚を飼育するのに適している。
【０００９】
本考案に係る水流型水槽は、水をきれいに保つため、ポンプで循環させる水を濾過するためのフィルタを有していてもよい。また、ポンプは、水を直接吸い上げる循環ポンプであってもよく、空気とともに水を上昇させることができる空気ポンプであってもよい。蓋の上部に設けられた構造物は、例えば、ビオトープのような擬似的な自然環境から成り、導水部が川や池などから成っていてもよく、また、水際植物などの植栽から成り、導水部が植物に水を供給するための貯水部から成っていてもよい。観賞性を高めるために、上部区画の内部に様々な景観を演出してもよい。
【００１０】
本考案に係る水流型水槽で、前記水槽本体は円筒状をなし、前記パイプは前記水槽本体の中心線上に設けられ、前記水流発生部は前記蓋と一体的に設けられた傾斜部から成り、前記流入口に連続して前記上部区画内に突出し、前記水槽本体の円周方向に沿って底部方向に傾斜しており、傾斜角度を調整可能に構成されていることが好ましい。
この場合、上部区画に落下して流入する水に角度が付くため、円筒状の水槽本体の上部区画の内部で中心のパイプの周りに容易に回転水流を発生させることができる。傾斜部により、水の落下角度を調整することにより、水流の速さを調整することができる。
【００１１】
本考案に係る水流型水槽は、前記上部区画の内部に水棲生物の生態系を形成可能に構成されていてもよい。この場合、回転水流により、上部区画の内部の水が常に循環しているため、水や植物、魚の糞、エサなどが腐敗しにくく、水棲生物の生態系を維持しやすい。また、魚にとって生息しやすい環境を整えることもできる。上部区画の内部に水棲生物の生態系を形成することにより、観賞性を高めることができる。
【考案の効果】
【００１２】
本考案によれば、水流を好む魚にストレスがたまりにくく、水流を好む魚に適した水流型水槽を提供することができる。
【図面の簡単な説明】
【００１３】
【図１】本考案の実施の形態の水流型水槽を示す縦断面図である。
【図２】図１に示す水流型水槽の平面図である。
【００１４】
以下、図面に基づき本考案の実施の形態について説明する。
図１および図２は、本考案の実施の形態の水流型水槽を示している。
図１および図２に示すように、水流型水槽１０は、水槽本体１１と仕切板１２と蓋１３とパイプ１４とポンプ１５と構造物１６と水流発生部１７とを有している。
【００１５】
水槽本体１１は、透明なプラスチック製で、底１１ａを有する円筒形状を成している。
仕切板１２は、透明なプラスチック製で、水槽本体１１の内径と同じ外径を有する円形の板から成っている。仕切板１２は、水槽本体１１の底１１ａとの間に所定の間隔を開けて、水槽本体１１の底１１ａと平行になるよう、水槽本体１１の底部に設けられている。仕切板１２は、水槽本体１１の内部を、水槽本体１１の底１１ａの側の底部区画２１と、水槽本体１１の上部側の上部区画２２とに区画している。仕切板１２は、厚みを貫通して形成された、底部区画２１と上部区画２２とを連通する複数の連通孔１２ａと、中心位置に設けられた円形の下部貫通孔１２ｂとを有している。
【００１６】
蓋１３は、透明なプラスチック製で、水槽本体１１の外径と同じ外径を有する円形の板から成っている。蓋１３は、水槽本体１１の上部を覆うよう設けられている。蓋１３は、中心から縁部までの中央部に、厚みを貫通して設けられた矩形状の流入口１３ａと、中心位置に設けられた円形の上部貫通孔１３ｂとを有している。
【００１７】
パイプ１４は、透明なプラスチック製の細長い円形管から成っている。パイプ１４は、仕切板１２の下部貫通孔１２ｂと蓋１３の上部貫通孔１３ｂとに挿入されて、上部区画２２の中央を通って仕切板１２から蓋１３まで伸びるよう設けられている。パイプ１４は、水槽本体１１の中心線上に設けられ、底部区画２１と蓋１３の上部とを連通している。パイプ１４は、下端と水槽本体１１の底１１ａとの間にすき間をあけて取り付けられている。
【００１８】
ポンプ１５は、水を直接吸い上げる循環ポンプから成り、水を吸うための吸水管１５ａを有している。ポンプ１５は、蓋１３の上に設置されており、吸水管１５ａが、パイプ１４の内部を通って、パイプ１４の下端付近まで伸びている。ポンプ１５は、吸水管１５ａの先端に濾過フィルタ１５ｂを有している。ポンプ１５は、底部区画２１の水を、パイプ１４の内部を通して蓋１３の上側まで上昇させるようになっている。
【００１９】
構造物１６は、蓋１３の上に設けられ、自然環境を模して形成されている。構造物１６は、ポンプ１５により蓋１３の上側まで上昇した水を、蓋１３の流入口１３ａまで導くための導水部１６ａを有している。具体的な一例では、構造物１６は、山と小屋と川とを有し、川が導水部１６ａを成している。
【００２０】
水流発生部１７は、蓋１３の流入口１３ａの下側に蓋１３と一体的に設けられた傾斜部から成っている。水流発生部１７は、その上を、流入口１３ａから上部区画２２に流入する水が流れるよう、流入口１３ａの一つの縁部に取り付けられている。水流発生部１７は、流入口１３ａに連続して上部区画２２内に突出し、水槽本体１１の円周方向に沿って底部方向に傾斜している。水流発生部１７は、プラスチック製のため、折り曲げて蓋１３に対する角度を調整可能であり、それにより、流入口１３ａから上部区画２２に流入する水の落下角度を調整可能になっている。このように、水流発生部１７は、流入口１３ａから上部区画２２に流入する水により、上部区画２２の内部でパイプ１４の周りを回転する水流が発生するよう構成されている。
【００２１】
次に、作用について説明する。
水流型水槽１０は、水槽本体１１の内部に水を入れて使用される。水流型水槽１０では、ポンプ１５を稼働すると、水槽本体１１の底部区画２１の水が、ポンプ１５によりパイプ１４の内部を通って蓋１３の上側まで上昇し、導水部１６ａにより流入口１３ａまで導かれ、流入口１３ａから水槽本体１１の上部区画２２に流入する。このとき、水流発生部１７により、上部区画２２に落下して流入する水に角度が付くため、円筒状の水槽本体１１の上部区画２２の内部で中心のパイプ１４の周りを回転する水流（図２中の破線の矢印の方向の流れ）を容易に発生させることができる。上部区画２２の水は、仕切板１２の連通孔１２ａを通って再び底部区画２１に入ることができる。このように、水流型水槽１０では、蓋１３の上部と水槽本体１１の内部との間で、水を循環させることができる。
【００２２】
水流型水槽１０は、ポンプ１５を稼働させ続けることにより、上部区画２２の内部にエンドレスの回転水流を発生させることができるため、水流を好む魚１を常時その回転水流に合わせて泳がせることができる。このため、水流を好む魚１にストレスがたまりにくく、水流を好む魚１を飼育するのに適している。魚１が回転水流に合わせて泳ぐため、魚１が水槽本体１１の内壁に衝突するのを防ぐこともできる。また、回転水流により、上部区画２２の内部の水が常に循環しているため、水や魚１の糞、エサなどが腐敗しにくく、魚１にとって生息しやすい環境を整えることもできる。メンテナンスも容易である。
【００２３】
水流型水槽１０は、水流発生部１７の角度を変えて水の落下角度を調整することにより、水流の速さを調整することができる。ポンプ１５の吸水管１５ａの先端の濾過フィルタ１５ｂにより、循環する水をきれいに保つことができる。構造物１６が自然環境を模して形成されているため、観賞性が高い。
【００２４】
なお、水流型水槽１０は、上部区画２２の内部に、石や水草などを配置し、エビやザリガニ、カメ、カニなどの動物を入れて、水棲生物の生態系が形成されていてもよい。この場合、回転水流により、上部区画２２の内部の水が常に循環しているため、水や植物、魚の糞、エサなどが腐敗しにくく、水棲生物の生態系を維持しやすい。また、魚にとって生息しやすい環境を整えることもできる。上部区画２２の内部に水棲生物の生態系を形成することにより、観賞性を高めることができる。
【符号の説明】
【００２５】
１  魚
１０  水流型水槽
１１  水槽本体
１１ａ  底
１２  仕切板
１２ａ  連通孔
１２ｂ  下部貫通孔
１３  蓋
１３ａ  流入口
１３ｂ  上部貫通孔
１４  パイプ
１５  ポンプ
１５ａ  吸水管
１５ｂ  濾過フィルタ
１６  構造物
１６ａ  導水部
１７  水流発生部
２１  底部区画
２２  上部区画
【図１】
0003154875.tif 000003
【図２】
0003154875.tif 000004